(57)【要約】【課題】更新された視聴制限テーブル情報に対応する番組視聴制限情報に基づいて視聴制限を実行するか否かの設定を行う。【解決手段】デジタル放送受信機のＲＡＭ１２は、視聴制限テーブル情報を格納するテーブル記憶部１２１を備え、ＭＰＵ１１は、第１所定数の列及び第２所定数の行を有するテーブルである視聴制限テーブル情報を取得するテーブル取得部１１０と、番組毎の視聴制限条件を列番号情報及び行番号情報によって規定する番組視聴制限情報を取得する視聴制限取得部１１１と、列判定条件及び行判定条件の少なくとも一方を満たすか否かを判定する第１判定部１１２と、列判定条件及び行判定条件の少なくとも一方を満たすと判定された場合に、仮の視聴制限テーブル情報を生成し、テーブル記憶部１２１に格納するテーブル生成部１１３と、を備えている。【選択図】図３
2008141459.tif 000002
【特許請求の範囲】
【請求項１】
テレビジョン放送を受信し、外部から視認可能にモニタに出力可能に構成された放送受信装置であって、
２以上の第１所定数の列及び２以上の第２所定数の行を有し、列方向の位置及び行方向の位置に応じて予め設定された視聴制限条件が規定されたテーブルであって、列毎に、行番号が大きい程強い視聴制限であることを示すオーダータイプ、及び、行番号の相違により異なる種別の視聴制限であることを示すカテゴリタイプ、のいずれか一方のタイプの設定が可能に構成されたテーブルである視聴制限テーブル情報を取得するテーブル取得手段と、
前記テーブル取得手段によって取得された視聴制限テーブル情報を格納するテーブル記憶手段と、
番組毎の視聴制限条件を、前記視聴制限テーブルの列方向の位置を示す列番号情報及び行方向の位置を示す行番号情報によって規定する番組視聴制限情報を取得する視聴制限取得手段と、
前記視聴制限取得手段によって取得された番組視聴制限情報の列番号が前記第１所定数より大きいとの列判定条件、及び、前記視聴制限取得手段によって取得された番組視聴制限情報の行番号が前記第２所定数より大きいとの行判定条件、の少なくとも一方を満たすか否かを判定する第１判定手段と、
前記第１判定手段によって列判定条件及び行判定条件の少なくとも一方を満たすと判定された場合に、前記視聴制限取得手段によって取得された番組視聴制限情報の列番号に相当する列数を有し、且つ、前記視聴制限取得手段によって取得された番組視聴制限情報の行番号に相当する行数を有する仮の視聴制限テーブル情報を生成すると共に、前記仮の視聴制限テーブル情報において、前記視聴制限取得手段によって取得された番組視聴制限情報の列番号に相当する列のタイプをオーダータイプに設定し、生成された仮の視聴制限テーブル情報を前記テーブル記憶手段に格納するテーブル生成手段と、
前記第１判定手段によって列判定条件及び行判定条件の少なくとも一方を満たすと判定された番組視聴制限情報に対応する番組に、複数の番組視聴制限情報が含まれている場合に、前記複数の番組視聴制限情報が、同一の列番号を有し、且つ、隣接する行番号を有する、との判定条件を満たすか否かを判定する第２判定手段と、
前記第２判定手段によって判定条件を満たさないと判定された場合に、前記テーブル生成手段によって生成された仮の視聴制限テーブル情報について、前記視聴制限取得手段によって取得された番組視聴制限情報の列番号に相当する列のタイプをオーダータイプからカテゴリタイプに変更するタイプ変更手段と、
前記テーブル取得手段によって取得された視聴制限テーブル情報が、前記テーブル記憶手段に格納された視聴制限テーブル情報と一致するか否かを判定する第３判定手段と、
前記第３判定手段によって一致しないと判定された場合に、前記テーブル記憶手段に格納された視聴制限テーブル情報に換えて前記テーブル取得手段によって取得された視聴制限テーブル情報を前記テーブル記憶手段に格納すると共に、前記テーブル記憶手段に格納された仮の視聴制限テーブル情報を消去するテーブル更新手段と、
外部からの操作入力を受け付けて、受け付けられた操作入力に基づいて前記テーブル記憶手段に格納された仮の視聴制限テーブル情報をモニタに表示するテーブル表示手段と、
外部からの操作入力を受け付けて、受け付けられた操作入力に基づいて、前記視聴制限取得手段によって取得された番組視聴制限情報に対応する視聴制限を実行するか否かの設定を行う視聴制限設定手段と、
を備えることを特徴とする放送受信装置。
【請求項２】
テレビジョン放送を受信し、外部から視認可能にモニタに出力可能に構成された放送受信装置であって、
２以上の第１所定数の列及び２以上の第２所定数の行を有し、列方向の位置及び行方向の位置に応じて予め設定された視聴制限条件が規定されたテーブルである視聴制限テーブル情報を取得するテーブル取得手段と、
前記テーブル取得手段によって取得された視聴制限テーブル情報を格納するテーブル記憶手段と、
番組毎の視聴制限条件を、前記視聴制限テーブルの列方向の位置を示す列番号情報及び行方向の位置を示す行番号情報によって規定する番組視聴制限情報を取得する視聴制限取得手段と、
前記視聴制限取得手段によって取得された番組視聴制限情報の列番号が前記第１所定数より大きいとの列判定条件、及び、前記視聴制限取得手段によって取得された番組視聴制限情報の行番号が前記第２所定数より大きいとの行判定条件、の少なくとも一方を満たすか否かを判定する第１判定手段と、
前記第１判定手段によって列判定条件及び行判定条件の少なくとも一方を満たすと判定された場合に、前記視聴制限取得手段によって取得された番組視聴制限情報の列番号に相当する列数を有し、且つ、前記視聴制限取得手段によって取得された番組視聴制限情報の行番号に相当する行数を有する仮の視聴制限テーブル情報を生成し、前記テーブル記憶手段に格納するテーブル生成手段と、
を備えることを特徴とする放送受信装置。
【請求項３】
前記視聴制限テーブル情報は、列毎に、行番号が大きい程強い視聴制限であることを示すオーダータイプ、及び、行番号の相違により異なる種別の視聴制限であることを示すカテゴリタイプ、のいずれか一方のタイプの設定が可能に構成され、
前記テーブル生成手段は、前記仮の視聴制限テーブル情報において、前記視聴制限取得手段によって取得された番組視聴制限情報の列番号に相当する列のタイプをオーダータイプに設定することを特徴とする請求項２に記載の放送受信装置。
【請求項４】
前記第１判定手段によって列判定条件及び行判定条件の少なくとも一方を満たすと判定された番組視聴制限情報に対応する番組に、複数の番組視聴制限情報が含まれている場合に、前記複数の番組視聴制限情報が、同一の列番号を有し、且つ、隣接する行番号を有する、との判定条件を満たすか否かを判定する第２判定手段と、
前記第２判定手段によって判定条件を満たさないと判定された場合に、前記テーブル生成手段によって生成された仮の視聴制限テーブル情報について、前記視聴制限取得手段によって取得された番組視聴制限情報の列番号に相当する列のタイプをオーダータイプからカテゴリタイプに変更するタイプ変更手段と、
を備えることを特徴とする請求項３に記載の放送受信装置。
【請求項５】
前記テーブル取得手段によって取得された視聴制限テーブル情報が、前記テーブル記憶手段に格納された視聴制限テーブル情報と一致するか否かを判定する第３判定手段と、
前記第３判定手段によって一致しないと判定された場合に、前記テーブル記憶手段に格納された視聴制限テーブル情報に換えて前記テーブル取得手段によって取得された視聴制限テーブル情報を前記テーブル記憶手段に格納すると共に、前記テーブル記憶手段に格納された仮の視聴制限テーブル情報を消去するテーブル更新手段と、
を備えることを特徴とする請求項２〜請求項４のいずれかに記載の放送受信装置。
【請求項６】
外部からの操作入力を受け付けて、受け付けられた操作入力に基づいて前記テーブル記憶手段に格納された仮の視聴制限テーブル情報をモニタに表示するテーブル表示手段と、
外部からの操作入力を受け付けて、受け付けられた操作入力に基づいて、前記視聴制限取得手段によって取得された番組視聴制限情報に対応する視聴制限を実行するか否かの設定を行う視聴制限設定手段と、
を備えることを特徴とする請求項２〜請求項５のいずれかに記載の放送受信装置。
【発明の詳細な説明】
【技術分野】
【０００１】
本発明は、テレビジョン放送を受信し、外部から視認可能にモニタに出力可能に構成された放送受信装置に関する。特に、デジタル放送を受信し、列方向の位置及び行方向の位置に応じて予め設定された視聴制限条件が規定されたテーブルである視聴制限テーブルに基づいて、視聴制限を実行可能に構成されたデジタル放送受信装置に関する。
【背景技術】
【０００２】
従来、テレビジョン放送を受信し、外部から視認可能にモニタに出力可能に構成された放送受信装置では、デジタル放送の普及に伴って、視聴可能なチャンネル数が飛躍的に増加し、暴力シーン、猥褻なシーン等を含む番組が増加しており、このような番組を子供等に見せないように、子供等が視聴できる番組を制限する要求が高まっている。
【０００３】
この課題を解消するために、種々の装置が提案されている。例えば、予めユーザが視聴制限をすべきレイティングレベルを登録しておき、テレビジョン信号に重畳されて伝送された視聴制限条件を示すレイティング情報（番組視聴制限情報に相当する）が抽出されて、レイティング情報に対応するレイティングレベルが判定され、受信されたレイティングレベルが登録されているレイティングレベル以上である場合に、視聴制限を実行する（＝視聴をブロックする）テレビジョン受像装置が開示されている（特許文献１参照）。
【特許文献１】特開２０００−３５４２０９号公報
【発明の開示】
【発明が解決しようとする課題】
【０００４】
一方、２００６年３月１５日に、ＦＣＣ（Ｆｅｄｅｒａｌ  Ｃｏｍｍｕｎｉｃａｔｉｏｎｓ  Ｃｏｍｍｉｓｓｉｏｎ）によって、放送受信装置に、放送中に送信されるＲＲＴ（Ｒａｔｉｎｇ  Ｒｅｇｉｏｎ  Ｔａｂｌｅ）を取得して、取得されたＲＲＴに基づいて列方向の位置及び行方向の位置に応じて予め設定された視聴制限条件が規定されたテーブルである視聴制限テーブル（＝以下、「レイティングテーブル」という）を更新する機能を搭載することが義務付けられた（Ｃｏｄｅ  ｏｆ  Ｆｅｄｅｒａｌ  Ｒｅｇｕｌａｔｉｏｎｓ、Ｔｉｔｌｅ  ４７−Ｔｅｌｅｃｏｍｍｕｎｉｃａｔｉｏｎ、ＣＨＡＰＴＥＲ  Ｉ、§１５．１２０、“Ｐｒｏｇｒａｍ  ｂｌｏｃｋｉｎｇ  ｔｅｃｈｎｏｌｏｇｙ  ｒｅｑｕｉｒｅｍｅｎｔｓ  ｆｏｒ  ｔｅｌｅｖｉｓｉｏｎ  ｒｅｃｅｉｖｅｒｓ．”参照）。
【０００５】
また、番組毎の視聴制限条件を規定する番組視聴制限情報は、番組情報テーブル（Ｅｖｅｎｔ  Ｉｎｆｏｒｍａｔｉｏｎ  Ｔａｂｌｅ、以下「ＥＩＴ」という）内に含まれる情報であって、レイティングテーブルの列方向の位置を示す列番号情報及び行方向の位置を示す行番号情報として視聴制限条件を規定するＣＡＤ（Ｃｏｎｔｅｎｔ  Ａｄｖｉｓｏｒｙ  Ｄｅｓｃｒｉｐｔｏｒ）として送信される（ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）  Ｓｔａｎｄａｒｄ  Ａ／６５Ｃ  参照）。
【０００６】
従って、放送受信装置では、ＣＡＤによって規定される番組視聴制限を実行するか否かの設定を、レイティングテーブルを参照して行うことによって、番組の視聴をブロックするか否かを設定することができる。しかしながら、ＣＡＤが含まれるＥＩＴの送信周期は０．５秒であり、ＲＲＴの送信周期である６０秒より短い（ＡＴＳＣ  Ｓｔａｎｄａｒｄ  Ａ／６５Ｃ、Ａ／６９  参照）ため、更新されたＲＲＴが受信される前に、更新されたＲＲＴの所定位置を示すＣＡＤが受信される場合があり、このような場合には、更新されたＲＲＴが受信されるまで、ユーザがＣＡＤに対応する視聴制限を実行するか否かの設定を行えないことになる。
【０００７】
本発明は、上記課題に鑑みてなされたものであって、更新された視聴制限テーブル情報に対応する番組視聴制限情報に基づいて視聴制限を実行するか否かの設定を行うことの可能な放送受信装置を提供することを目的としている。
【課題を解決するための手段】
【０００８】
上記目的を達成するために請求項１に記載の放送受信装置は、テレビジョン放送を受信し、外部から視認可能にモニタに出力可能に構成された放送受信装置であって、２以上の第１所定数の列及び２以上の第２所定数の行を有し、列方向の位置及び行方向の位置に応じて予め設定された視聴制限条件が規定されたテーブルであって、列毎に、行番号が大きい程強い視聴制限であることを示すオーダータイプ、及び、行番号の相違により異なる種別の視聴制限であることを示すカテゴリタイプ、のいずれか一方のタイプの設定が可能に構成されたテーブルである視聴制限テーブル情報を取得するテーブル取得手段と、前記テーブル取得手段によって取得された視聴制限テーブル情報を格納するテーブル記憶手段と、番組毎の視聴制限条件を、前記視聴制限テーブルの列方向の位置を示す列番号情報及び行方向の位置を示す行番号情報によって規定する番組視聴制限情報を取得する視聴制限取得手段と、前記視聴制限取得手段によって取得された番組視聴制限情報の列番号が前記第１所定数より大きいとの列判定条件、及び、前記視聴制限取得手段によって取得された番組視聴制限情報の行番号が前記第２所定数より大きいとの行判定条件、の少なくとも一方を満たすか否かを判定する第１判定手段と、前記第１判定手段によって列判定条件及び行判定条件の少なくとも一方を満たすと判定された場合に、前記視聴制限取得手段によって取得された番組視聴制限情報の列番号に相当する列数を有し、且つ、前記視聴制限取得手段によって取得された番組視聴制限情報の行番号に相当する行数を有する仮の視聴制限テーブル情報を生成すると共に、前記仮の視聴制限テーブル情報において、前記視聴制限取得手段によって取得された番組視聴制限情報の列番号に相当する列のタイプをオーダータイプに設定し、生成された仮の視聴制限テーブル情報を前記テーブル記憶手段に格納するテーブル生成手段と、前記第１判定手段によって列判定条件及び行判定条件の少なくとも一方を満たすと判定された番組視聴制限情報に対応する番組に、複数の番組視聴制限情報が含まれている場合に、前記複数の番組視聴制限情報が、同一の列番号を有し、且つ、隣接する行番号を有する、との判定条件を満たすか否かを判定する第２判定手段と、前記第２判定手段によって判定条件を満たさないと判定された場合に、前記テーブル生成手段によって生成された仮の視聴制限テーブル情報について、前記視聴制限取得手段によって取得された番組視聴制限情報の列番号に相当する列のタイプをオーダータイプからカテゴリタイプに変更するタイプ変更手段と、前記テーブル取得手段によって取得された視聴制限テーブル情報が、前記テーブル記憶手段に格納された視聴制限テーブル情報と一致するか否かを判定する第３判定手段と、前記第３判定手段によって一致しないと判定された場合に、前記テーブル記憶手段に格納された視聴制限テーブル情報に換えて前記テーブル取得手段によって取得された視聴制限テーブル情報を前記テーブル記憶手段に格納すると共に、前記テーブル記憶手段に格納された仮の視聴制限テーブル情報を消去するテーブル更新手段と、外部からの操作入力を受け付けて、受け付けられた操作入力に基づいて前記テーブル記憶手段に格納された仮の視聴制限テーブル情報をモニタに表示するテーブル表示手段と、外部からの操作入力を受け付けて、受け付けられた操作入力に基づいて、前記視聴制限取得手段によって取得された番組視聴制限情報に対応する視聴制限を実行するか否かの設定を行う視聴制限設定手段と、を備えることを特徴としている。
【０００９】
請求項２に記載の放送受信装置は、テレビジョン放送を受信し、外部から視認可能にモニタに出力可能に構成された放送受信装置であって、２以上の第１所定数の列及び２以上の第２所定数の行を有し、列方向の位置及び行方向の位置に応じて予め設定された視聴制限条件が規定されたテーブルである視聴制限テーブル情報を取得するテーブル取得手段と、前記テーブル取得手段によって取得された視聴制限テーブル情報を格納するテーブル記憶手段と、番組毎の視聴制限条件を、前記視聴制限テーブルの列方向の位置を示す列番号情報及び行方向の位置を示す行番号情報によって規定する番組視聴制限情報を取得する視聴制限取得手段と、前記視聴制限取得手段によって取得された番組視聴制限情報の列番号が前記第１所定数より大きいとの列判定条件、及び、前記視聴制限取得手段によって取得された番組視聴制限情報の行番号が前記第２所定数より大きいとの行判定条件、の少なくとも一方を満たすか否かを判定する第１判定手段と、前記第１判定手段によって列判定条件及び行判定条件の少なくとも一方を満たすと判定された場合に、前記視聴制限取得手段によって取得された番組視聴制限情報の列番号に相当する列数を有し、且つ、前記視聴制限取得手段によって取得された番組視聴制限情報の行番号に相当する行数を有する仮の視聴制限テーブル情報を生成し、前記テーブル記憶手段に格納するテーブル生成手段と、を備えることを特徴としている。
【００１０】
請求項３に記載の放送受信装置は、請求項２に記載の放送受信装置であって、前記視聴制限テーブル情報が、列毎に、行番号が大きい程強い視聴制限であることを示すオーダータイプ、及び、行番号の相違により異なる種別の視聴制限であることを示すカテゴリタイプ、のいずれか一方のタイプの設定が可能に構成され、前記テーブル生成手段が、前記仮の視聴制限テーブル情報において、前記視聴制限取得手段によって取得された番組視聴制限情報の列番号に相当する列のタイプをオーダータイプに設定することを特徴としている。
【００１１】
請求項４に記載の放送受信装置は、請求項３に記載の放送受信装置であって、前記第１判定手段によって列判定条件及び行判定条件の少なくとも一方を満たすと判定された番組視聴制限情報に対応する番組に、複数の番組視聴制限情報が含まれている場合に、前記複数の番組視聴制限情報が、同一の列番号を有し、且つ、隣接する行番号を有する、との判定条件を満たすか否かを判定する第２判定手段と、前記第２判定手段によって判定条件を満たさないと判定された場合に、前記テーブル生成手段によって生成された仮の視聴制限テーブル情報について、前記視聴制限取得手段によって取得された番組視聴制限情報の列番号に相当する列のタイプをオーダータイプからカテゴリタイプに変更するタイプ変更手段と、備えることを特徴としている。
【００１２】
請求項５に記載の放送受信装置は、請求項２〜請求項４のいずれかに記載の放送受信装置であって、前記テーブル取得手段によって取得された視聴制限テーブル情報が、前記テーブル記憶手段に格納された視聴制限テーブル情報と一致するか否かを判定する第３判定手段と、前記第３判定手段によって一致しないと判定された場合に、前記テーブル記憶手段に格納された視聴制限テーブル情報に換えて前記テーブル取得手段によって取得された視聴制限テーブル情報を前記テーブル記憶手段に格納すると共に、前記テーブル記憶手段に格納された仮の視聴制限テーブル情報を消去するテーブル更新手段と、を備えることを特徴としている。
【００１３】
請求項６に記載の放送受信装置は、請求項２〜請求項５のいずれかに記載の放送受信装置であって、外部からの操作入力を受け付けて、受け付けられた操作入力に基づいて前記テーブル記憶手段に格納された仮の視聴制限テーブル情報をモニタに表示するテーブル表示手段と、外部からの操作入力を受け付けて、受け付けられた操作入力に基づいて、前記視聴制限取得手段によって取得された番組視聴制限情報に対応する視聴制限を実行するか否かの設定を行う視聴制限設定手段と、を備えることを特徴としている。
【発明の効果】
【００１４】
請求項１に記載の放送受信装置によれば、２以上の第１所定数の列及び２以上の第２所定数の行を有し、列方向の位置及び行方向の位置に応じて予め設定された視聴制限条件が規定されたテーブルである視聴制限テーブル情報が取得され、取得された視聴制限テーブル情報がテーブル記憶手段に格納される。そして、番組毎の視聴制限条件を、視聴制限テーブルの列方向の位置を示す列番号情報及び行方向の位置を示す行番号情報によって規定する番組視聴制限情報が取得され、取得された番組視聴制限情報の列番号が第１所定数より大きいとの列判定条件、及び、取得された番組視聴制限情報の行番号が第２所定数より大きいとの行判定条件、の少なくとも一方を満たすか否かが判定される。そして、列判定条件及び行判定条件の少なくとも一方を満たすと判定された場合に、取得された番組視聴制限情報の列番号に相当する列数を有し、且つ、取得された番組視聴制限情報の行番号に相当する行数を有する仮の視聴制限テーブル情報が生成され、テーブル記憶手段に格納されるため、更新された視聴制限テーブル情報に対応する番組視聴制限情報に対応する視聴制限を実行するか否かの設定を行うことができる。
【００１５】
すなわち、番組視聴制限情報の列番号がテーブル記憶手段に格納された視聴制限テーブルの列数である第１所定数より大きいとの列判定条件、及び、番組視聴制限情報の行番号がテーブル記憶手段に格納された視聴制限テーブルの行数である第２所定数より大きいとの行判定条件、の少なくとも一方を満たす場合には、番組視聴制限情報は、テーブル記憶手段に格納された視聴制限テーブルに規定された視聴制限条件以外の視聴制限条件を示すものである。つまり、この場合には、番組視聴制限情報は、更新された（＝新たな）視聴制限テーブルに対応する番組視聴制限情報であって、テーブル記憶手段に格納された視聴制限テーブルは更新される前の（＝古い）視聴制限テーブルである。
【００１６】
従って、列判定条件及び行判定条件の少なくとも一方を満たすと判定された場合に、新たに取得された番組視聴制限情報の列番号に相当する列数を有し、且つ、新たに取得された番組視聴制限情報の行番号に相当する行数を有する仮の視聴制限テーブル情報が生成され、テーブル記憶手段に格納されるため、生成された仮の視聴制限テーブル情報を介して、更新された視聴制限テーブル情報に対応する番組視聴制限情報に基づいて、視聴制限を実行するか否かの設定を行うことができる。
【００１７】
つまり、更新された視聴制限テーブル情報が受信される前であっても、更新された視聴制限テーブル情報に換えて、仮の視聴制限テーブル情報を用いることによって、更新された視聴制限テーブル情報に対応する番組視聴制限情報に基づいて、視聴制限を実行するか否かの設定を行うことができるのである。
【００１８】
また、視聴制限テーブル情報が、列毎に、行番号が大きい程強い視聴制限であることを示すオーダータイプ、及び、行番号の相違により異なる種別の視聴制限であることを示すカテゴリタイプ、のいずれか一方のタイプの設定が可能に構成され、仮の視聴制限テーブル情報において、新たに取得された番組視聴制限情報の列番号に相当する列のタイプがオーダータイプに設定されるため、更新された視聴制限テーブル情報に対応する番組視聴制限情報に基づいて確実に視聴制限を実行する旨の設定することができるのである。
【００１９】
すなわち、新たに取得された番組視聴制限情報の列番号に相当する列のタイプがオーダータイプに設定されるため、更新された視聴制限テーブル情報に対応する番組視聴制限情報に対して、ユーザが視聴制限を実行する旨の設定をする場合に、番組視聴制限情報に含まれる行番号情報の示す行番号以下の範囲に対して視聴制限を実行する旨の設定がされるため、確実に視聴制限を実行する旨の設定することができるのである。
【００２０】
つまり、列のタイプがカテゴリタイプに設定されている場合には、ユーザが視聴制限を設定する場合に、番組視聴制限情報に含まれる行番号情報の示す行番号のみに対して視聴制限視聴制限を実行する旨の設定がされるため、新たに取得された番組視聴制限情報の列番号に相当する列のタイプがオーダータイプである場合には、視聴制限を実行する旨の設定するべき範囲（＝番組視聴制限情報に含まれる行番号情報の示す行番号より小さい行番号の範囲）に対して視聴制限を実行する旨の設定がされないので、本来視聴制限を実行する旨の設定がされるべき番組の視聴がブロックされない虞がある。
【００２１】
更に、列判定条件及び行判定条件の少なくとも一方を満たすと判定された番組視聴制限情報に対応する番組に、複数の番組視聴制限情報が含まれている場合に、複数の番組視聴制限情報が、同一の列番号を有し、且つ、隣接する行番号を有する、との判定条件を満たすか否かが判定される。そして、判定条件を満たさないと判定された場合に、生成された仮の視聴制限テーブル情報について、取得された番組視聴制限情報の列番号に相当する列のタイプがオーダータイプからカテゴリタイプに変更されるため、視聴制限を実行するか否かの設定を的確に行うことができる。
【００２２】
すなわち、複数の番組視聴制限情報が、同一の列番号を有し、且つ、隣接する行番号を有する、との判定条件を満たさないと判定された場合には、１の番組に、異なる列番号を有する番組視聴制限情報が含まれているか、又は、離間する行番号を有する組視聴制限情報が含まれているため、この番組視聴制限情報が含まれる列のタイプはカテゴリタイプであると推定されるので、取得された番組視聴制限情報の列番号に相当する列のタイプをオーダータイプからカテゴリタイプに変更することによって、視聴制限を実行するか否かの設定を的確に行うことができるのである。
【００２３】
加えて、取得された視聴制限テーブル情報が、テーブル記憶手段に格納された視聴制限テーブル情報と一致するか否かが判定され、一致しないと判定された場合（＝更新された視聴制限テーブル情報であると判定された場合）に、テーブル記憶手段に格納された視聴制限テーブル情報に換えて、取得された視聴制限テーブル情報がテーブル記憶手段に格納されると共に、テーブル記憶手段に格納された仮の視聴制限テーブル情報が消去されるため、更新された視聴制限テーブル情報に対応する番組視聴制限情報に基づいて視聴制限を実行するか否かの設定を更に的確に行うことができる。
【００２４】
すなわち、更新された視聴制限テーブル情報が取得された場合に、更新された視聴制限テーブル情報がテーブル記憶手段に格納され、更新された視聴制限テーブル情報を介して視聴制限を実行するか否かの設定を行うことができるため、更新された視聴制限テーブル情報に対応する番組視聴制限情報に基づいて視聴制限を実行するか否かの設定を更に的確に行うことができるのである。
【００２５】
また、外部からの操作入力が受け付けられて、受け付けられた操作入力に基づいてテーブル記憶手段に格納された仮の視聴制限テーブル情報がモニタに表示され、更に、外部からの操作入力が受け付けられて、受け付けられた操作入力に基づいて、取得された番組視聴制限情報に対応する視聴制限を実行するか否かの設定が行われるため、仮の視聴制限テーブル情報を介して、更新された視聴制限テーブル情報に対応する番組視聴制限情報に基づいて視聴制限を実行するか否かの設定を容易に行うことができる。
【００２６】
請求項２に記載の放送受信装置によれば、２以上の第１所定数の列及び２以上の第２所定数の行を有し、列方向の位置及び行方向の位置に応じて予め設定された視聴制限条件が規定されたテーブルである視聴制限テーブル情報が取得され、取得された視聴制限テーブル情報がテーブル記憶手段に格納される。そして、番組毎の視聴制限条件を、視聴制限テーブルの列方向の位置を示す列番号情報及び行方向の位置を示す行番号情報によって規定する番組視聴制限情報が取得され、取得された番組視聴制限情報の列番号が第１所定数より大きいとの列判定条件、及び、取得された番組視聴制限情報の行番号が第２所定数より大きいとの行判定条件、の少なくとも一方を満たすか否かが判定される。そして、列判定条件及び行判定条件の少なくとも一方を満たすと判定された場合に、取得された番組視聴制限情報の列番号に相当する列数を有し、且つ、取得された番組視聴制限情報の行番号に相当する行数を有する仮の視聴制限テーブル情報が生成され、テーブル記憶手段に格納されるため、更新された視聴制限テーブル情報に対応する番組視聴制限情報に基づいて視聴制限を実行するか否かの設定を行うことができる。
【００２７】
すなわち、番組視聴制限情報の列番号がテーブル記憶手段に格納された視聴制限テーブルの列数である第１所定数より大きいとの列判定条件、及び、番組視聴制限情報の行番号がテーブル記憶手段に格納された視聴制限テーブルの行数である第２所定数より大きいとの行判定条件、の少なくとも一方を満たす場合には、番組視聴制限情報は、テーブル記憶手段に格納された視聴制限テーブルに規定された視聴制限条件以外の視聴制限条件を示すものである。つまり、この場合には、番組視聴制限情報は、更新された（＝新たな）視聴制限テーブルに対応する番組視聴制限情報であって、テーブル記憶手段に格納された視聴制限テーブルは更新される前の（＝古い）視聴制限テーブルである。
【００２８】
従って、列判定条件及び行判定条件の少なくとも一方を満たすと判定された場合に、新たに取得された番組視聴制限情報の列番号に相当する列数を有し、且つ、新たに取得された番組視聴制限情報の行番号に相当する行数を有する仮の視聴制限テーブル情報が生成され、テーブル記憶手段に格納されるため、生成された仮の視聴制限テーブル情報を介して、更新された視聴制限テーブル情報に対応する番組視聴制限情報に基づいて、視聴制限を実行するか否かの設定を行うことができる。
【００２９】
つまり、更新された視聴制限テーブル情報が受信される前であっても、更新された視聴制限テーブル情報に換えて、仮の視聴制限テーブル情報を用いることによって、更新された視聴制限テーブル情報に対応する番組視聴制限情報に基づいて、視聴制限を実行するか否かの設定を行うことができるのである。
【００３０】
請求項３に記載の放送受信装置によれば、視聴制限テーブル情報が、列毎に、行番号が大きい程強い視聴制限であることを示すオーダータイプ、及び、行番号の相違により異なる種別の視聴制限であることを示すカテゴリタイプ、のいずれか一方のタイプの設定が可能に構成され、仮の視聴制限テーブル情報において、新たに取得された番組視聴制限情報の列番号に相当する列のタイプがオーダータイプに設定されるため、更新された視聴制限テーブル情報に対応する番組視聴制限情報に基づいて確実に視聴制限を実行する旨の設定することができるのである。
【００３１】
すなわち、新たに取得された番組視聴制限情報の列番号に相当する列のタイプがオーダータイプに設定されるため、更新された視聴制限テーブル情報に対応する番組視聴制限情報に対して、ユーザが視聴制限を実行する旨の設定をする場合に、番組視聴制限情報に含まれる行番号情報の示す行番号以下の範囲に対して視聴制限を実行する旨の設定がされるため、確実に視聴制限を実行する旨の設定することができるのである。
【００３２】
つまり、列のタイプがカテゴリタイプに設定されている場合には、ユーザが視聴制限を設定する場合に、番組視聴制限情報に含まれる行番号情報の示す行番号のみに対して視聴制限視聴制限を実行する旨の設定がされるため、新たに取得された番組視聴制限情報の列番号に相当する列のタイプがオーダータイプである場合には、視聴制限を実行する旨の設定するべき範囲（＝番組視聴制限情報に含まれる行番号情報の示す行番号より小さい行番号の範囲）に対して視聴制限を実行する旨の設定がされないので、本来視聴制限を実行する旨の設定がされるべき番組の視聴がブロックされない虞がある。
【００３３】
請求項４に記載の放送受信装置によれば、列判定条件及び行判定条件の少なくとも一方を満たすと判定された番組視聴制限情報に対応する番組に、複数の番組視聴制限情報が含まれている場合に、複数の番組視聴制限情報が、同一の列番号を有し、且つ、隣接する行番号を有する、との判定条件を満たすか否かが判定される。そして、判定条件を満たさないと判定された場合に、生成された仮の視聴制限テーブル情報について、取得された番組視聴制限情報の列番号に相当する列のタイプがオーダータイプからカテゴリタイプに変更されるため、視聴制限を実行するか否かの設定を的確に行うことができる。
【００３４】
すなわち、複数の番組視聴制限情報が、同一の列番号を有し、且つ、隣接する行番号を有する、との判定条件を満たさないと判定された場合には、１の番組に、異なる列番号を有する番組視聴制限情報が含まれているか、又は、離間する行番号を有する組視聴制限情報が含まれているため、この番組視聴制限情報が含まれる列のタイプはカテゴリタイプであると推定されるので、取得された番組視聴制限情報の列番号に相当する列のタイプをオーダータイプからカテゴリタイプに変更することによって、視聴制限を実行するか否かの設定を的確に行うことができるのである。
【００３５】
請求項５に記載の放送受信装置によれば、取得された視聴制限テーブル情報が、テーブル記憶手段に格納された視聴制限テーブル情報と一致するか否かが判定され、一致しないと判定された場合（＝更新された視聴制限テーブル情報であると判定された場合）に、テーブル記憶手段に格納された視聴制限テーブル情報に換えて、取得された視聴制限テーブル情報がテーブル記憶手段に格納されると共に、テーブル記憶手段に格納された仮の視聴制限テーブル情報が消去されるため、更新された視聴制限テーブル情報に対応する番組視聴制限情報に基づいて視聴制限を実行するか否かの設定を更に的確に行うことができる。
【００３６】
すなわち、更新された視聴制限テーブル情報が取得された場合に、更新された視聴制限テーブル情報がテーブル記憶手段に格納され、更新された視聴制限テーブル情報を介して視聴制限を実行するか否かの設定を行うことができるため、更新された視聴制限テーブル情報に対応する番組視聴制限情報に基づいて視聴制限を実行するか否かの設定を更に的確に行うことができるのである。
【００３７】
請求項６に記載の放送受信装置によれば、外部からの操作入力が受け付けられて、受け付けられた操作入力に基づいてテーブル記憶手段に格納された仮の視聴制限テーブル情報がモニタに表示され、更に、外部からの操作入力が受け付けられて、受け付けられた操作入力に基づいて、取得された番組視聴制限情報に対応する視聴制限を実行するか否かの設定が行われるため、仮の視聴制限テーブル情報を介して、更新された視聴制限テーブル情報に対応する番組視聴制限情報に基づいて視聴制限を実行するか否かの設定を容易に行うことができる。
【発明を実施するための最良の形態】
【００３８】
以下に本発明の実施形態を、図面を参照しながら説明する。図２は、本発明に係るデジタル放送受信機１の構成の一例を示すブロック図である。デジタル放送受信機１（放送受信装置に相当する）は、図２に示すリモートコントローラ（＝Ｒｅｍｏｔｅｃｏｎｔｒｏｌｌｅｒ：以下、「リモコン」という）２と赤外線通信を介して通信可能に接続されている。
【００３９】
デジタル放送受信機１は、リモコン２を介してユーザからの操作入力を受け付けて、テレビジョン放送を受信し、後述するディスプレイ１８３に出力するものであって、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００４０】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００４１】
操作部１４は、電源のＯＮ、ＯＦＦ操作、選局等の各種操作を受け付けるものである。受信部１５（テーブル取得手段の一部、視聴制限取得手段の一部に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００４２】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００４３】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００４４】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００４５】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタ、テーブル表示手段の一部に相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００４６】
赤外線通信部１９は、リモコン２からの電源のＯＮ、ＯＦＦ操作、選局、デジタル放送受信機１の各種設定（視聴制限設定等）等の各種操作を受け付けるものである。
【００４７】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００４８】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、チャンネル情報等を含む制御情報からなり、この制御情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００４９】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介してディスプレイ１８３に動画像が表示される。
【００５０】
図２は、リモコン２の外観の一例を示す図である。リモコン２（テーブル表示手段の一部、視聴制限設定手段の一部に相当する）は、ユーザからの操作入力を受け付けて、操作入力に対応する赤外線信号を生成して、デジタル放送受信機１に対して出力するものであって、赤外線信号出力部２１、バックキー２２、エンターキー２３、方向キー２４、及び、メニューキー２５を備えている。赤外線信号出力部２１は、ユーザによって押下されたキーに対応する操作信号を生成し、赤外線信号に変換してデジタル放送受信機１に対して送信するものである。
【００５１】
バックキー２２は、現在表示されている画面を元の画面に戻す場合等に押下されるキーである。エンターキー２３は、デジタル放送受信機１の視聴制限条件等の各種機能を設定する場合に押下されるキーである。方向キー２４は、視聴制限条件等の各種機能を設定する際に、図１に示すディスプレイ１８３に表示された選択可能な複数の項目から１の項目を選択する場合に押下されるキーであって、上方向に選択状態を移動させる上方向キー２４１、及び、下方向に選択状態を移動させる下方向キー２４２を備えている。メニューキー２５は、デジタル放送受信機１の視聴制限条件等の各種機能を設定する場合にメニュー画面を表示させるべく押下されるキーである。
【００５２】
図３は、本発明に係るデジタル放送受信機１の主要部の構成の一例を示すブロック図である。デジタル放送受信機１のＭＰＵ１１は、機能的に、テーブル取得部１１０、視聴制限取得部１１１、第１判定部１１２、テーブル生成部１１３、第２判定部１１４、タイプ変更部１１５、第３判定部１１６、テーブル更新部１１７、テーブル表示部１１８、及び、制限設定部１１９を備えている。また、ＲＡＭ１２は、機能的に、テーブル記憶部１２１及び設定条件記憶部１２２を備えている。
【００５３】
ここでは、ＭＰＵ１１が、図１に示すＲＯＭ１３等に予め格納された制御プログラムを読み出して実行することにより、テーブル取得部１１０、視聴制限取得部１１１、第１判定部１１２、テーブル生成部１１３、第２判定部１１４、タイプ変更部１１５、第３判定部１１６、テーブル更新部１１７、テーブル表示部１１８、制限設定部１１９等の機能部として機能すると共に、ＲＡＭ１２を、テーブル記憶部１２１、設定条件記憶部１２２等の機能部として機能させるものである。
【００５４】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００５５】
テーブル記憶部１２１（テーブル記憶手段に相当する）は、テーブル取得部１１０によって取得された視聴制限テーブル情報を格納すると共に、テーブル生成部１１３によって生成された仮の視聴制限テーブル情報を格納するものである。また、テーブル記憶部１２１に格納された視聴制限テーブル情報は、テーブル更新部１１７によって更新されると共に、テーブル記憶部１２１に格納された仮の視聴制限テーブル情報は、テーブル更新部１１７によって消去されるものである。
【００５６】
ここで、視聴制限テーブルは、２以上の第１所定数（例えば、３個）の列及び２以上の第２所定数（例えば、７個）の行を有し、列方向の位置及び行方向の位置に応じて予め設定された視聴制限条件が規定されたテーブルであって、列毎に、行番号が大きい程強い視聴制限であることを示すオーダータイプ、及び、行番号の相違により異なる種別の視聴制限であることを示すカテゴリタイプ、のいずれか一方のタイプの設定が可能に構成されたテーブルである。
【００５７】
図４は、視聴制限テーブルの一例を示す図表である。（ａ）は、更新前の視聴制限テーブルの一例を示す図表であり、（ｂ）は、仮の視聴制限テーブルの一例を示す図表である。（ａ）に示すように、視聴制限テーブルは、例えば、第１列は、レイティング項目名称が「ＴＶ−ＡＡ」に設定されたオーダータイプの視聴制限条件であって、ここでは、ＭＰＡＡ（Ｍｏｔｉｏｎ  Ｐｉｃｔｕｒｅ  Ａｓｓｏｃｉａｔｉｏｎ  ｏｆ  Ａｍｅｒｉｃａ）規格のレイティングである。第１列の第１行から順に、Ｘ、ＮＣ−１７、Ｒ、ＰＧ−１３、ＰＧ、Ｇ、ＮＲの各文字列で規定された視聴制限条件を示している。
【００５８】
第１行のＸは、ＮＣ−１７の古い規格であることを示している。第２行のＮＣ−１７（Ｎｏ  ｃｈｉｌｄｒｅｎ  ｕｎｄｅｒ  １７）は、１８歳未満（１７歳以下）の視聴を禁止したものであることを示している。第３行のＲ（Ｒｅｓｔｒｉｃｔｅｄ）は、１７歳未満（１６歳以下）の鑑賞は保護者同伴が要求されることを示している。第４行のＰＧ−１３（Ｐａｒｅｎｔｓ  ｓｔｒｏｎｇｌｙ  ｃａｕｔｉｏｎｅｄ）は、１３歳未満（１２歳以下）の子供の観賞については、保護者の厳重な注意が必要であることを示している。
【００５９】
第５行のＰＧ（Ｐａｒｅｎｔａｌ  Ｇｕｉｄａｎｃｅ  ｓｕｇｇｅｓｔｅｄ）は、子供に見せる前に保護者が内容を検討することを提案したものであることを示している。第６行のＧ（Ｇｅｎｅｒａｌ  ａｕｄｉｅｎｃｅｓ）は、全年齢に適していることを示している。第７行のＮＲ（Ｎｏｔ  Ｒａｔｅｄ）は、視聴制限がないことを示している。すなわち、第１列は、行番号が大きい程強い視聴制限であることを示すオーダータイプの視聴制限である。つまり、オーダータイプの視聴制限である場合には、行番号が大きい低年齢向けの番組に対して視聴制限を実行する場合には、厳しい視聴制限を実行することになるのである。
【００６０】
再び、図３に戻って、デジタル放送受信機１の主要部の構成について説明する。設定条件記憶部１２２は、テーブル記憶部１２１に格納された視聴制限テーブル（及び仮の視聴制限テーブル）を構成する各行、各列に格納された文字列で表される視聴制限を実行するか否かを設定する設定条件を格納するものである。また、設定条件記憶部１２２に格納された設定条件は、制限設定部１１９によって設定されるものである。例えば、図４（ａ）に示す視聴制限テーブルに対しては、設定条件記憶部１２２には、視聴制限テーブルを構成する７行３列の計２１個の視聴制限条件毎に、各行、各列に格納された文字列で表される視聴制限を実行するか否か（＝対応する番組の視聴をブロックするか否か）を設定する設定条件が格納されている。
【００６１】
テーブル取得部１１０（テーブル取得手段の一部に相当する）は、受信部１５を介して受信されるＲＲＴ（Ｒａｔｉｎｇ  Ｒｅｇｉｏｎ  Ｔａｂｌｅ：視聴制限テーブル情報に相当する）を取得して、取得されたＲＲＴに基づいて列方向の位置及び行方向の位置に応じて予め設定された視聴制限条件が規定されたテーブルである視聴制限テーブルを生成するものである（図４（ａ）参照）。
【００６２】
視聴制限取得部１１１（視聴制限取得手段の一部に相当する）は、受信部１５を介して受信される番組情報テーブル（Ｅｖｅｎｔ  Ｉｎｆｏｒｍａｔｉｏｎ  Ｔａｂｌｅ、以下「ＥＩＴ」という）内に含まれる情報であって、視聴制限テーブルの列方向の位置を示す列番号情報及び行方向の位置を示す行番号情報として視聴制限条件を規定するＣＡＤ（Ｃｏｎｔｅｎｔ  Ａｄｖｉｓｏｒｙ  Ｄｅｓｃｒｉｐｔｏｒ：番組視聴制限情報に相当する）を取得するものである。
【００６３】
第１判定部１１２（第１判定手段に相当する）は、視聴制限取得部１１１によって取得されたＣＡＤの列番号が第１所定数（ここでは、「３」）より大きいとの列判定条件、及び、視聴制限取得部によって取得されたＣＡＤの行番号が第２所定数（ここでは、「７」）より大きいとの行判定条件、の少なくとも一方を満たすか否かを判定するものである。この列判定条件及び行判定条件の少なくとも一方を満たす場合には、ＣＡＤで示される位置が、視聴制限テーブルに含まれない位置であり、ＣＡＤは、更新された（＝新たな）視聴制限テーブルに対応する番組視聴制限情報であって、テーブル記憶部１２１に格納された視聴制限テーブルは更新される前の（＝古い）視聴制限テーブルである。
【００６４】
テーブル生成部１１３（テーブル生成手段に相当する）は、第１判定部１１２によって列判定条件及び行判定条件の少なくとも一方を満たすと判定された場合に、視聴制限取得部１１１によって取得されたＣＡＤの列番号に相当する列数を有し、且つ、視聴制限取得部１１１によって取得されたＣＡＤの行番号に相当する行数を有する仮の視聴制限テーブル情報を生成する（図４（ｂ）参照）と共に、仮の視聴制限テーブル情報において、視聴制限取得部１１１によって取得されたＣＡＤの列番号に相当する列のタイプをオーダータイプに設定し、生成された仮の視聴制限テーブル情報をテーブル記憶部１２１に格納するものである。
【００６５】
図４（ｂ）に、テーブル生成部１１３によって生成された仮の視聴制限テーブルの一例を示す。ここでは、例えば、視聴制限取得部１１１によって取得されたＣＡＤの列番号が「４」であり、行番号が「５」である場合について説明する。ＣＡＤの列番号が「４」であり、テーブル記憶部１２１に格納された視聴制限テーブルの列数である第１所定数が「３」であるため、列判定条件を満たす。なお、ＣＡＤの行番号が「５」であり、テーブル記憶部１２１に格納された視聴制限テーブルの行数である第２所定数が「７」であるため、行判定条件は満たさない。
【００６６】
上述のように列判定条件を満たすため、テーブル生成部１１３によって、図４（ｂ）に示すＣＡＤの列番号「４」に相当する列数を有し且つＣＡＤの行番号「５」に相当する行数を有する５行４列の仮の視聴制限テーブル情報が生成される。また、仮の視聴制限テーブル情報において、視聴制限取得部１１１によって取得されたＣＡＤの列番号（ここでは、第４列）に相当する列のタイプがオーダータイプに設定されている。
【００６７】
再び、図３に戻って、デジタル放送受信機１の主要部の構成について説明する。第２判定部１１４（第２判定手段に相当する）は、第１判定部１１２によって列判定条件及び行判定条件の少なくとも一方を満たすと判定されたＣＡＤに対応する番組に、複数のＣＡＤが含まれているか否かを判定し、複数のＣＡＤが含まれていると判定された場合に、複数のＣＡＤが、同一の列番号を有し、且つ、隣接する行番号を有する、との判定条件を満たすか否かを判定するものである。
【００６８】
例えば、列番号「４」、行番号「５」を示すＣＡＤが取得された番組のＥＩＴに、列番号「４」、行番号「４」を示すＣＡＤが含まれている場合には、同一の列番号を有し、且つ、隣接する行番号を有する、との判定条件を満たす。また、例えば、列番号「４」、行番号「５」を示すＣＡＤが取得された番組のＥＩＴに、列番号「４」、行番号「２」を示すＣＡＤが含まれている場合には、同一の列番号を有し、且つ、隣接する行番号を有する、との判定条件を満たさない（＝隣接する行番号を有さない）。更に、例えば、列番号「４」、行番号「５」を示すＣＡＤが取得された番組のＥＩＴに、列番号「３」、行番号「４」を示すＣＡＤが含まれている場合には、同一の列番号を有し、且つ、隣接する行番号を有する、との判定条件を満たさない（＝同一の列番号を有さない）。
【００６９】
タイプ変更部１１５（タイプ変更手段に相当する）は、第２判定部１１４によって判定条件を満たさないと判定された場合に、テーブル生成部１１３によって生成された仮の視聴制限テーブル情報について、視聴制限取得部１１１によって取得されたＣＡＤの列番号（ここでは、「４」）に相当する列（＝第４列）のタイプをオーダータイプからカテゴリタイプに変更するものである。
【００７０】
例えば、列番号「４」、行番号「５」を示すＣＡＤが取得された番組のＥＩＴに、列番号「４」、行番号「２」を示すＣＡＤが含まれている場合、又は、列番号「４」、行番号「５」を示すＣＡＤが取得された番組のＥＩＴに、列番号「３」、行番号「４」を示すＣＡＤが含まれている場合には、タイプ変更部１１５は、仮の視聴制限テーブルの第４列のタイプをオーダータイプからカテゴリタイプに変更する。
【００７１】
第３判定部１１６（第３判定手段に相当する）は、テーブル取得部１１０によって取得された視聴制限テーブル情報が、テーブル記憶部１２１に格納された視聴制限テーブル情報と一致するか否かを判定するものである。すなわち、第３判定部１１６は、テーブル取得部１１０によって取得された視聴制限テーブル情報が、更新された（＝新たな）視聴制限テーブル情報であるか否かを判定するものである。
【００７２】
テーブル更新部１１７（テーブル更新手段に相当する）は、第３判定部１１６によって一致しないと判定された場合（＝テーブル取得部１１０によって取得された視聴制限テーブル情報が、更新された視聴制限テーブル情報であると判定された場合）に、テーブル記憶部１２１に格納された視聴制限テーブル情報に換えてテーブル取得部１１０によって取得された視聴制限テーブル情報をテーブル記憶部１２１に格納すると共に、テーブル記憶部１２１に格納された仮の視聴制限テーブル情報を消去するものである。
【００７３】
テーブル表示部１１８（テーブル表示手段の一部に相当する）は、リモコン２を介してユーザからの操作入力を受け付けて、受け付けられた操作入力に基づいてテーブル記憶部１２１に格納された視聴制限テーブル情報及び仮の視聴制限テーブル情報をディスプレイ１８３に表示するものである。
【００７４】
制限設定部１１９（視聴制限設定手段の一部に相当する）は、リモコン２を介してユーザからの操作入力を受け付けて、受け付けられた操作入力に基づいて、テーブル表示部１１８によってディスプレイ１８３に表示された視聴制限テーブル情報又は仮の視聴制限テーブル情報を介して、視聴制限取得部１１１によって取得されたＣＡＤに対応する視聴制限を実行するか否かの設定を行うものである（図５、図６参照）。
【００７５】
図５、図６は、テーブル表示部１１８によってディスプレイ１８３に表示されるレイティング設定画面の一例を示す画面図である。図５は、テーブル記憶部１２１に、図４（ａ）に示す更新前の視聴制限テーブル情報が格納されている場合のレイティング設定画面の一例を示す画面図であり、図６は、テーブル記憶部１２１に、図４（ａ）に示す更新前の視聴制限テーブル情報、及び、図４（ｂ）に示す仮の視聴制限テーブル情報が格納されている場合のレイティング設定画面の一例を示す画面図である。
【００７６】
テーブル表示部１１８は、リモコン２に配設されたメニューキー２５に対応する操作信号が受け付けられた場合に、図５（ａ）、図６（ａ）に示すレイティング項目選択画面３００、３２０を表示する。図５（ａ）に示すように、レイティング項目選択画面３００には、図４（ａ）に示す更新前の視聴制限テーブル情報のレイティング項目名称を表示する項目名称表示部３０１と、選択状態を示す選択マーク３０２と、が表示されている。
【００７７】
また、図６（ｂ）に示すように、レイティング項目選択画面３２０には、図４（ａ）に示す更新前の視聴制限テーブル情報のレイティング項目名称を表示する項目名称表示部３２１と、図４（ｂ）に示す仮の視聴制限テーブル情報のレイティング項目名称を表示する項目名称表示部３２３と、選択状態を示す選択マーク３２２と、が表示されている。
【００７８】
テーブル表示部１１８は、リモコン２に配設された上方向キー２４１に対応する操作信号が受け付けられた場合に、選択マーク３０２、３２２を上方向に移動させ、選択状態とされている項目名称表示部３０１、３２１、３２３を変更する。また、テーブル表示部１１８は、リモコン２に配設された下方向キー２４２に対応する操作信号が受け付けられた場合に、選択マーク３０２、３２２を下方向に移動させ、選択状態とされている項目名称表示部３０１、３２１、３２３を変更する。
【００７９】
そして、テーブル表示部１１８は、リモコン２に配設されたエンターキー２３に対応する操作信号が受け付けられた場合に、図５（ｂ）、図６（ｂ）に示す視聴制限設定画面３１０、３３０を表示する。視聴制限設定画面３１０、３３０には、レイティング項目選択画面３００、３２０を介して選択されたレイティング項目名称を表示する項目名称表示部３１１、３３１と、選択されたレイティング項目に対応する視聴制限テーブル（又は、仮の視聴制限テーブル）の列に格納されている文字列で規定された視聴制限条件を表示する視聴制限条件表示部３１２、３３２と、選択状態を示す選択マーク３１３、３３３と、視聴制限条件表示部３１２、３３２の右側に、各視聴制限条件に対応する視聴制限を実行するか否か（＝視聴制限条件に対応する番組の視聴をブロックするか否か）を表示するブロックマーク３１４、３３４と、操作ガイダンス情報を表示するガイダンス表示部３１５、２２５と、が表示されている。
【００８０】
ガイダンス表示部３１５には、左側から順に、上方向キー２４１及び下方向キー２４２を介して選択状態とされている視聴制限条件表示部３１２、３３２を変更する旨の操作ガイダンス情報、エンターキー２３を介して視聴制限を実行するか否か（＝視聴制限条件に対応する番組の視聴をブロックするか否か）の設定を行う旨の操作ガイダンス情報、及び、バックキー２２を介して画面を１つ前の画面に戻す旨の操作ガイダンス情報が表示されている。
【００８１】
テーブル表示部１１８は、リモコン２に配設された上方向キー２４１に対応する操作信号が受け付けられた場合に、選択マーク３１３、３３３を上方向に移動させ、選択状態とされている視聴制限条件表示部３１２、３３２を変更する。また、テーブル表示部１１８は、リモコン２に配設された下方向キー２４２に対応する操作信号が受け付けられた場合に、選択マーク３１３、３３３を下方向に移動させ、選択状態とされている視聴制限条件表示部３１２、３３２を変更する。
【００８２】
制限設定部１１９は、図５（ｂ）、図６（ｂ）に示す視聴制限設定画面３１０、３３０において、エンターキー２３に対応する操作信号が受け付けられた場合に、選択状態とされている視聴制限条件表示部３１２、３３２に対応する視聴制限を実行する（＝視聴制限条件に対応する番組の視聴をブロックする）旨の設定を行い、視聴制限を実行する旨のマークであるブロックマーク３１４、３３４を表示する。
【００８３】
なお、レイティング項目名称を表示する項目名称表示部３１１、３３１に対応するレイティング項目に対応する視聴制限テーブル（又は、仮の視聴制限テーブル）の列のタイプがオーダータイプに設定されている場合には、制限設定部１１９は、選択状態とされている視聴制限条件表示部３１２、３３２、及び、その上側に表示されている全ての視聴制限条件表示部３１２、３３２（選択状態とされている視聴制限条件表示部３１２、３３２よりも弱い視聴制限条件に対応する視聴制限条件表示部３１２、３３２）、に対応する視聴制限を実行する（＝視聴制限条件に対応する番組の視聴をブロックする）旨の設定を行い、視聴制限を実行する旨のマークであるブロックマーク３１４、３３４を表示する。
【００８４】
また、テーブル表示部１１８は、図５（ｂ）、図６（ｂ）に示す視聴制限設定画面３１０、３３０において、リモコン２に配設されたバックキー２２に対応する操作信号が受け付けられた場合に、それぞれ、図５（ａ）、図６（ａ）に示すレイティング項目選択画面３００、３２０を表示する。
【００８５】
図７は、デジタル放送受信機１（主にＭＰＵ１１）の動作の一例を示すフローチャートである。なお、ここでは、便宜上、テーブル取得部１１０によって予め受信部１５を介して受信されるＲＲＴが受信され、取得されたＲＲＴに基づいて列方向の位置及び行方向の位置に応じて予め設定された視聴制限条件が規定されたテーブルである視聴制限テーブルを生成されてテーブル記憶部１２１に格納されている場合について説明する。
【００８６】
まず、視聴制限取得部１１１によってＣＡＤ（＝番組視聴制限情報）が取得されたか否かの判定が行われる（Ｓ１０１）。ＣＡＤが取得されていないと判定された場合（Ｓ１０１でＮＯ）には、処理が待機状態とされる。ＣＡＤが取得されたと判定された場合（Ｓ１０１でＹＥＳ）には、第１判定部１１２によって、ステップＳ１０１において取得されたＣＡＤの列番号が第１所定数（＝テーブル記憶部１２１に格納された視聴制限テーブルの列数。ここでは、「３」）より大きいとの列判定条件を満たすか否かの判定が行われる（Ｓ１０３）。列番号が第１所定数より大きいと判定された場合（Ｓ１０３でＹＥＳ）には、処理がステップＳ１０７に進められる。列番号が第１所定数以下であると判定された場合（Ｓ１０３でＮＯ）には、ステップＳ１０１において取得されたＣＡＤの行番号が第２所定数（＝テーブル記憶部１２１に格納された視聴制限テーブルの行数。ここでは、「７」）より大きいとの行判定条件を満たすか否かの判定が行われる（Ｓ１０５）。
【００８７】
行番号が第２所定数以下であると判定された場合（Ｓ１０５でＮＯ）には、処理がステップＳ１０１に戻され、ステップＳ１０１以降の処理が繰り返し実行される。行番号が第２所定数より大きいと判定された場合（Ｓ１０５でＹＥＳ）、又は、ステップＳ１０３でＹＥＳの場合には、テーブル生成部１１３によって、仮の視聴制限テーブル情報が生成される（Ｓ１０７）。そして、第２判定部１１４によって、ステップＳ１０１において取得されたＣＡＤに対応する番組に、複数のＣＡＤが含まれているか否かが判定される（Ｓ１０９）。複数のＣＡＤが含まれていない（＝１のＣＡＤのみが含まれている）と判定された場合（Ｓ１０９でＮＯ）には、処理がステップＳ１１５に進められる。
【００８８】
複数のＣＡＤが含まれていると判定された場合（Ｓ１０９でＹＥＳ）には、第２判定部１１４によって、複数のＣＡＤが同一の列番号を有するか否かの判定が行われる（Ｓ１１１）。同一の列番号を有しない（＝異なる列番号を有する）と判定された場合（Ｓ１１１でＹＥＳ）には、処理がステップＳ１１７に進められる。同一の列番号を有すると判定された場合（Ｓ１１１でＹＥＳ）には、第２判定部１１４によって、複数のＣＡＤが隣接する行番号を有するか否かの判定が行われる（Ｓ１１３）。
【００８９】
隣接する行番号を有しない（＝離間する行番号である）と判定された場合（Ｓ１１３でＮＯ）、又は、ステップＳ１１１でＮＯの場合には、タイプ変更部１１５によって、ステップＳ１０７において生成された仮の視聴制限テーブル情報について、取得されたＣＡＤの列番号に相当する列のタイプがカテゴリタイプに設定され（Ｓ１１７）、処理が終了される。隣接する行番号を有すると判定された場合（Ｓ１１３でＹＥＳ）、又は、ステップＳ１０９でＮＯの場合には、ステップＳ１０７において生成された仮の視聴制限テーブル情報について、取得されたＣＡＤの列番号に相当する列のタイプがオーダータイプに設定され（Ｓ１１５）、処理が終了される。
【００９０】
このようにして、２以上の第１所定数（ここでは、「３」。図４（ａ）参照）の列及び２以上の第２所定数（ここでは、「７」。図４（ａ）参照）の行を有し、列方向の位置及び行方向の位置に応じて予め設定された視聴制限条件が規定されたテーブルである視聴制限テーブル情報（＝ＲＲＴ、図４（ａ）参照）が取得され、取得された視聴制限テーブル情報がテーブル記憶部１２１に格納される。そして、番組毎の視聴制限条件を、視聴制限テーブルの列方向の位置を示す列番号情報及び行方向の位置を示す行番号情報によって規定する番組視聴制限情報（＝ＣＡＤ）が取得され、取得された番組視聴制限情報の列番号が第１所定数（ここでは、「３」）より大きいとの列判定条件、及び、取得された番組視聴制限情報の行番号が第２所定数（ここでは、「７」）より大きいとの行判定条件、の少なくとも一方を満たすか否かが判定される。そして、列判定条件及び行判定条件の少なくとも一方を満たすと判定された場合に、取得された番組視聴制限情報の列番号（ここでは、「４」。図４（ｂ）参照）に相当する列数を有し、且つ、取得された番組視聴制限情報の行番号（ここでは、「５」。図４（ｂ）参照）に相当する行数を有する仮の視聴制限テーブル情報が生成され、テーブル記憶部１２１に格納されるため、更新された視聴制限テーブル情報に対応する番組視聴制限情報に対応する視聴制限を実行するか否かの設定を行うことができる。
【００９１】
すなわち、番組視聴制限情報の列番号（ここでは、「４」）がテーブル記憶部１２１に格納された視聴制限テーブルの列数である第１所定数（ここでは、「３」）より大きいとの列判定条件、及び、番組視聴制限情報の行番号（ここでは、「５」）がテーブル記憶部１２１に格納された視聴制限テーブルの行数である第２所定数（ここでは、「７」）より大きいとの行判定条件、の少なくとも一方を満たす場合には、番組視聴制限情報は、テーブル記憶部１２１に格納された視聴制限テーブルに規定された視聴制限条件以外の視聴制限条件を示すものである。つまり、この場合には、番組視聴制限情報は、更新された（＝新たな）視聴制限テーブルに対応する番組視聴制限情報であって、テーブル記憶部１２１に格納された視聴制限テーブルは更新される前の（＝古い）視聴制限テーブルである。
【００９２】
従って、列判定条件及び行判定条件の少なくとも一方を満たすと判定された場合に、新たに取得された番組視聴制限情報の列番号（ここでは、「４」）に相当する列数を有し、且つ、新たに取得された番組視聴制限情報の行番号（ここでは、「５」）に相当する行数を有する仮の視聴制限テーブル情報が生成され、テーブル記憶部１２１に格納されるため、生成された仮の視聴制限テーブル情報を介して、更新された視聴制限テーブル情報に対応する番組視聴制限情報に基づいて、視聴制限を実行するか否かの設定を行うことができる。
【００９３】
つまり、更新された視聴制限テーブル情報が受信される前であっても、更新された視聴制限テーブル情報に換えて、仮の視聴制限テーブル情報を用いることによって、更新された視聴制限テーブル情報に対応する番組視聴制限情報に基づいて、視聴制限を実行するか否かの設定を行うことができるのである。
【００９４】
また、視聴制限テーブル情報が、列毎に、行番号が大きい程強い視聴制限であることを示すオーダータイプ、及び、行番号の相違により異なる種別の視聴制限であることを示すカテゴリタイプ、のいずれか一方のタイプの設定が可能に構成され、仮の視聴制限テーブル情報において、新たに取得された番組視聴制限情報の列番号（ここでは、「４」）に相当する列のタイプがオーダータイプに設定されるため、更新された視聴制限テーブル情報に対応する番組視聴制限情報に基づいて確実に視聴制限を実行する旨の設定することができるのである。
【００９５】
すなわち、新たに取得された番組視聴制限情報の列番号（ここでは、「４」）に相当する列のタイプがオーダータイプに設定されるため、更新された視聴制限テーブル情報に対応する番組視聴制限情報に対して、ユーザが視聴制限を実行する旨の設定をする場合に、番組視聴制限情報に含まれる行番号情報の示す行番号以下の範囲に対して視聴制限を実行する旨の設定がされるため、確実に視聴制限を実行する旨の設定することができるのである。
【００９６】
つまり、列のタイプがカテゴリタイプに設定されている場合には、ユーザが視聴制限を設定する場合に、番組視聴制限情報に含まれる行番号情報の示す行番号（ここでは、「５」）のみに対して視聴制限視聴制限を実行する旨の設定がされるため、新たに取得された番組視聴制限情報の列番号に相当する列のタイプがオーダータイプである場合には、視聴制限を実行する旨の設定するべき範囲（＝番組視聴制限情報に含まれる行番号情報の示す行番号より小さい行番号の範囲）に対して視聴制限を実行する旨の設定がされないので、本来視聴制限を実行する旨の設定がされるべき番組の視聴がブロックされない虞がある。
【００９７】
更に、列判定条件及び行判定条件の少なくとも一方を満たすと判定された番組視聴制限情報に対応する番組に、複数の番組視聴制限情報（＝ＣＡＤ）が含まれている場合に、複数の番組視聴制限情報が、同一の列番号を有し、且つ、隣接する行番号を有する、との判定条件を満たすか否かが判定される。そして、判定条件を満たさないと判定された場合に、生成された仮の視聴制限テーブル情報について、取得された番組視聴制限情報の列番号に相当する列のタイプがオーダータイプからカテゴリタイプに変更されるため、視聴制限を実行するか否かの設定を的確に行うことができる。
【００９８】
すなわち、複数の番組視聴制限情報（＝ＣＡＤ）が、同一の列番号を有し、且つ、隣接する行番号を有する、との判定条件を満たさないと判定された場合には、１の番組に、異なる列番号を有する番組視聴制限情報が含まれているか、又は、離間する行番号を有する組視聴制限情報が含まれているため、この番組視聴制限情報が含まれる列のタイプはカテゴリタイプであると推定されるので、取得された番組視聴制限情報の列番号に相当する列のタイプをオーダータイプからカテゴリタイプに変更することによって、視聴制限を実行するか否かの設定を的確に行うことができるのである。
【００９９】
加えて、取得された視聴制限テーブル情報が、テーブル記憶部１２１に格納された視聴制限テーブル情報と一致するか否かが判定され、一致しないと判定された場合（＝更新された視聴制限テーブル情報であると判定された場合）に、テーブル記憶部１２１に格納された視聴制限テーブル情報に換えて、取得された視聴制限テーブル情報がテーブル記憶部１２１に格納されると共に、テーブル記憶部１２１に格納された仮の視聴制限テーブル情報が消去されるため、更新された視聴制限テーブル情報に対応する番組視聴制限情報に基づいて視聴制限を実行するか否かの設定を更に的確に行うことができる。
【０１００】
すなわち、更新された視聴制限テーブル情報が取得された場合に、更新された視聴制限テーブル情報がテーブル記憶部１２１に格納され、更新された視聴制限テーブル情報を介して視聴制限を実行するか否かの設定を行うことができるため、更新された視聴制限テーブル情報に対応する番組視聴制限情報に基づいて視聴制限を実行するか否かの設定を更に的確に行うことができるのである。
【０１０１】
また、リモコン２を介してユーザからの操作入力が受け付けられて、受け付けられた操作入力に基づいてテーブル記憶部１２１に格納された仮の視聴制限テーブル情報がディスプレイ１８３に表示され、更に、リモコン２を介してユーザからの操作入力が受け付けられて、受け付けられた操作入力に基づいて、取得された番組視聴制限情報に対応する視聴制限を実行するか否かの設定が行われるため、仮の視聴制限テーブル情報を介して、更新された視聴制限テーブル情報に対応する番組視聴制限情報に基づいて視聴制限を実行するか否かの設定を容易に行うことができる。
【０１０２】
なお、本発明は、以下の形態にも適用可能である。
（Ａ）本実施形態では、放送受信装置が、デジタル放送受信機１である場合について説明したが、放送受信装置が、テレビジョン放送を受信し、外部から視認可能にディスプレイ１８３に出力するであればよい。例えば、放送受信装置が、アナログ放送を受信する形態でもよいし、アナログ放送及びデジタル放送を受信する形態でもよい。ただし、ＣＡＤに相当する番組視聴制限情報、及び、ＲＲＴに相当する視聴制限テーブル情報が取得可能な形態である必要がある。
【０１０３】
（Ｂ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【０１０４】
（Ｃ）本実施形態では、テーブル表示部１１８及び制限設定部１１９が、リモコン２を介してユーザからの操作入力を受け付ける場合について説明したが、テーブル表示部１１８及び制限設定部１１９の少なくとも一方が、操作部１４を介してユーザからの操作入力を受け付ける形態でもよい。
【０１０５】
（Ｄ）本実施形態では、テーブル取得部１１０によって取得されるＲＲＴ（＝視聴制限テーブル情報）の送信周期が６０秒であり、視聴制限取得部１１１によって取得されるＣＡＤ（＝番組視聴制限情報）の送信周期が０．５秒である場合について説明したが、ＲＲＴ、ＣＡＤの送信周期は、上記送信周期に限定されるものではない。例えば、ＲＲＴの送信周期と、ＣＡＤの送信周期が同一（例えば、０．５秒）であっても、更新されたＣＡＤが、更新されたＲＲＴの受信タイミングよりも早く受信される場合には、仮の視聴制限テーブル情報を介して更新されたＣＡＤに対応する視聴制限を実行するか否かの設定をする必要がある。
【図面の簡単な説明】
【０１０６】
【図１】は、本発明に係るデジタル放送受信機の一例を示すブロック図である。
【図２】は、リモコンの外観の一例を示す図である。
【図３】は、本発明に係るデジタル放送受信機の主要部の構成の一例を示すブロック図である。
【図４】は、視聴制限テーブルの一例を示す図表である。
【図５】は、テーブル表示部によってディスプレイに表示されるレイティング設定画面の一例を示す画面図である（更新前の視聴制限テーブル）。
【図６】は、テーブル表示部によってディスプレイに表示されるレイティング設定画面の一例を示す画面図である（更新前の視聴制限テーブル及び仮の視聴制限テーブル）。
【図７】は、デジタル放送受信機（主にＭＰＵ）の動作の一例を示すフローチャートである。
【符号の説明】
【０１０７】
１    デジタル放送受信機（放送受信装置）
１１    ＭＰＵ
１１０    テーブル取得部（テーブル取得手段の一部）
１１１    視聴制限取得部（視聴制限取得手段の一部）
１１２    第１判定部（第１判定手段）
１１３    テーブル生成部（テーブル生成手段）
１１４    第２判定部（第２判定手段）
１１５    タイプ変更部（タイプ変更手段）
１１６    第３判定部（第３判定手段）
１１７    テーブル更新部（テーブル更新手段）
１１８    テーブル表示部（テーブル表示手段の一部）
１１９    制限設定部（視聴制限設定手段の一部）
１２    ＲＡＭ
１２１    テーブル記憶部
１２２    設定条件記憶部
１４    操作部
１５    受信部（テーブル取得手段の一部、視聴制限取得手段の一部）
１８    画像出力部
１８３    ディスプレイ（モニタ、テーブル表示手段の一部）
２    リモコン（テーブル表示手段の一部、視聴制限設定手段の一部）
【図１】
2008141459.tif 000003
【図２】
2008141459.tif 000004
【図３】
2008141459.tif 000005
【図４】
2008141459.tif 000006
【図５】
2008141459.tif 000007
【図６】
2008141459.tif 000008
【図７】
2008141459.tif 000009